(57)【要約】【課題】  折り重ねたホースを崩れないように収納させ、ホースをスムーズに伸ばすことのできるホース収納袋を提供する。【解決手段】  前側面部１３、後側面部１４、左側面部１５および右側面部１６が平面視矩形に配置されて上面が開放し、左側面部１５を閉じるように留めた状態から開放可能にすることにより、折り重ねて収納したホースＨを開放させた左側側面部分から引き出すことのできるホース収納袋本体１１と、底面部１２に連なる前側面部１３と後側面部１４とにそれぞれ取り付けられた手提げ部３１と、前側面部１３の上部と後側面部１４の上部とを連結したり、その連結を解除することのできる荷崩れ防止バンド４１とを備える。【選択図】    図５
2005270483.tif 000002
【特許請求の範囲】
【請求項１】
前側面部、後側面部、左側面部および右側面部が平面視矩形に配置されて上面が開放し、前記左、右側面部の少なくとも一方を閉じるように留めた状態から開放可能にすることにより、折り重ねて収納したホースを前記開放させた側面部分から繰り出すことのできるホース収納袋本体と、
底面部に連なる前記前側面部と前記後側面部との少なくとも一方に取り付けられた手提げ部と、
前記前側面部の上部と前記後側面部との上部を連結したり、その連結を解除することのできる荷崩れ防止バンドと、
を備えることを特徴とするホース収納袋。
【請求項２】
請求項１に記載のホース収納袋において、
前記荷崩れ防止バンドを、面ファスナで構成した、
ことを特徴とするホース収納袋。
【請求項３】
請求項１または請求項２に記載のホース収納袋において、
前記左、右側面部は閉じるように留めた状態から開放可能で、
前記底面部の内側に、前記ホースの漏れ個所を応急処置するホースバンドを取り付けた、
ことを特徴とするホース収納袋。
【請求項４】
請求項３に記載のホース収納袋において、
前記ホースバンドを、面ファスナで構成した、
ことを特徴とするホース収納袋。
【請求項５】
請求項１から請求項４のいずれか１項に記載のホース収納袋において、
前記前側面部と前記後側面部との少なくとも一方の外面に、前記ホースを繰り出しながら運搬する方向を示す方向表示手段を設けた、
ことを特徴とするホース収納袋。
【請求項６】
請求項５に記載のホース収納袋において、
前記方向表示手段を、矢印にした、
ことを特徴とするホース収納袋。
【発明の詳細な説明】
【技術分野】
【０００１】
この発明は、例えば、消火用のホースを運搬したり、収納したホースを繰り出しながら伸ばすことのできるホース収納袋に関するものである。
【背景技術】
【０００２】
従来のホース収納袋としては、ホースを直方体状に折り重ね、その左、右側面部を開放させた状態で縛る長方形状のバンド部の両端に、手提げ部を取り付けたものが提案されている。
【非特許文献１】「消防、防災機器カタログ」  帝国繊維株式会社  平成１１年７月発行
【発明の開示】
【発明が解決しようとする課題】
【０００３】
従来の上記したホース収納袋は、折り重ねたホースを、左、右側面部を開放させた状態で縛っているので、縛り方が緩かったりすると、運搬中の振動などによって折り重ねたホースが崩れ、ホースが絡み合うことにより、ホースをスムーズに伸ばすことができず、迅速な消防活動を行うことができなくなる。
【課題を解決するための手段】
【０００４】
この発明は、以下のような発明である。
（１）前側面部、後側面部、左側面部および右側面が平面視矩形に配置されて上面が開放し、前記左、右側面の少なくとも一方を閉じるように留めた状態から開放可能にすることにより、折り重ねて収納したホースを前記開放させた側面部分から繰り出すことのできるホース収納袋本体と、底面部に連なる前記前側面部と前記後側面部との少なくとも一方に取り付けられた手提げ部と、前記前側面部の上部と前記後側面部との上部を連結したり、その連結を解除することのできる荷崩れ防止バンドと、を備えることを特徴とするホース収納袋。
（２）（１）に記載のホース収納袋において、前記荷崩れ防止バンドを、面ファスナで構成したことを特徴とする。
（３）（１）または（２）に記載のホース収納袋において、前記左、右側面部は閉じるように留めた状態から開放可能で、前記底面部の内側に、前記ホースの漏れ個所を応急処置するホースバンドを設けたことを特徴とする。
（４）（３）に記載のホース収納袋において、前記ホースバンドを、面ファスナで構成したことを特徴とする。
（５）（１）から（４）のいずれか１つに記載のホース収納袋において、前記前側面部と前記後側面部との少なくとも一方の外面に、前記ホースを繰り出しながら運搬する方向を示す方向表示手段を設けたことを特徴とする。
（６）（５）に記載のホース収納袋において、前記方向表示手段を、矢印にしたことを特徴とする。
【発明の効果】
【０００５】
この発明によれば、ホース収納袋本体を、上面が開放した箱状とし、前側面部の上部と後側面部の上部との間に荷崩れ防止バンドを設けたので、折り重ねたホースを崩れないように収納させることができる。
また、左、右側面部の一方が開放できるので、開放させた側面部分からホースをスムーズに繰り出して伸ばすことができ、迅速な消火活動を行うことができる。
なお、荷崩れ防止バンドを面ファスナで構成したので、荷崩れ防止バンドの着脱を迅速、かつ、容易に行うことができる。
そして、左、右側面部は閉じるように留めた状態から開放でき、底面部の内側にホースの漏れ個所を応急処置するホースバンドを取り付けたので、消火活動中にホースに漏れ個所があった場合、その漏れ個所の応急処置をホースバンドで迅速に行うことができる。
また、ホース収納袋を平面状に展開できるので、ホースを収納する作業を迅速、かつ、容易に行うことができる。
なお、ホースバンドを面ファスナで構成したので、ホースの漏れ個所の応急処置を迅速、かつ、容易に行うことができる。
さらに、前側面部と後側面部との少なくとも一方の外面に、ホースを繰り出しながら運搬する方向を示す方向表示手段を設けたので、この方向表示手段の方向とホースの折り畳み方向とを合わせることにより、ホース収納袋を担いで走ってホースを伸ばす方向が一目で分かり、迅速な消火活動を行うことができる。
【発明を実施するための最良の形態】
【０００６】
以下、この発明の実施例を図に基づいて説明する。
図１はこの発明の一実施例であるホース収納袋の内側を示す展開平面図、図２はこの発明の一実施例であるホース収納袋の外側を示す展開平面図、図３は図１および図２に示したホース収納袋を組み立てた状態の斜視図、図４はホース収納袋にホースを収納させた状態の説明図、図５はホース収納袋からホースを引き出して伸ばすときの説明図、図６（ａ），（ｂ），（ｃ）はホースに漏れ個所があった場合の応急処置の説明図である。
【０００７】
図１または図２において、ホース収納袋Ｂは、防水性のシートまたは布で構成されたホース収納袋本体１１と、このホース収納袋本体１１を構成する底面部１２の内側に取り付けられ（逢着され）たホースバンド２１と、ホース収納袋本体１１を構成する前側面部１３および後側面部１４に取り付けられ（逢着され）た手提げ部３１と、ホース収納袋本体１１の上側が開かないように、ホース収納袋本体１１を構成する前側面部１３の上部と後側面部１４の上部とを連結する荷崩れ防止バンド４１と、ホース収納袋本体１１を構成する底面部１２の内側に取り付けられ（逢着され）たホース固定バンド５１と、ホース収納袋本体１１を構成する前側面部１３の外側および後側面部１４の外側にそれぞれ設けられた、ホースＨを繰り出しながら運搬する方向を示す方向表示手段としての矢印６１とで構成されている。
このホース収納袋Ｂに収納するホースＨには、両端に接続部Ｊが設けられている。
【０００８】
上記したホース収納袋本体１１は、図１および図２に示すように、平面視矩形の底面部１２と、この底面部１２の長辺に対向する状態で連設された矩形の前側面部１３および矩形の後側面部１４と、この後側面部１４の左右に連設された矩形の左側面部１５および矩形の右側面部１６とで構成されている。
なお、底面部１２の幅（前後方向の長さ）は、折り重ねたホースＨの幅よりも僅かに広くされている。
また、左側面部１５および右側面部１６の幅ｗ（前後方向の長さ）は、底面部１２の短辺の長さよりも所定長だけ長くされている。
そして、前側面部１３の外側の左右の端に上下方向へ面ファスナを構成する一方の面ファスナ部分１７ｆｌ，１７ｆｒが取り付けられ（逢着され）、この面ファスナ部分１７ｆｌ，１７ｆｒと対向する左側面部１５の後側面部１４から離れた内側の端、および、右側面部１６の後側面部１４から離れた内側の端に上下方向へ面ファスナを構成する他方の面ファスナ部分１８ｌｆ，１８ｒｆが取り付けられ（逢着され）ている。
【０００９】
上記したホースバンド２１は、底面部１２の内側に一部が取り付けられ（逢着され）た面ファスナで構成されている。
【００１０】
上記した手提げ部３１は、ホース収納袋本体１１を構成する前側面部１３の上部および後側面部１４の上部にそれぞれ逆Ｕ字状に取り付けられ（逢着され）ている。
【００１１】
上記した荷崩れ防止バンド４１は、ホース収納袋本体１１を構成する後側面部１４の外側上部に一端が取り付けられ（逢着され）た荷崩れ防止バンド部分４２ｂと、この荷崩れ防止バンド部分４２ｂの他端側が係合できるように、前側面部１３の外側上部に取り付けられ（逢着され）た荷崩れ防止バンド部分４２ｆとで構成されている。
なお、荷崩れ防止バンド部分４２ｆ，４２ｂは、面ファスナを構成している。
【００１２】
上記したホース固定バンド５１は、ホース収納袋本体１１を構成する前側面部１３の内側および後側面部１４の内側に下側が、ホースＨを底面部１２上に折り重ねたときにその折り重ねたホースＨを上側から固定できる位置に取り付けられ（逢着され）たホース固定バンド部分５２ｆ，５２ｂで構成されている。
なお、ホース固定バンド部分５２ｆ，５２ｂは、面ファスナを構成している。
【００１３】
上記した矢印６１は、ホース収納袋本体１１と異なる色のシートまたは布を矢印状に裁断したものを、ホース収納袋本体１１を構成する前側面部１３の外面および後側面部１４の外面に逢着することによって取り付けられている。
【００１４】
次に、ホースＨのホース収納袋Ｂへの収納について説明する。
まず、図１に示すように、ホース収納袋本体１１を平面状に拡げ、ホースＨの一端の接続部Ｊの近傍をホースバンド２１で固定し、図４に示すように、底面部１２上にホースＨをほぼ底面部１２の左右方向の長さで折り重ねる。
そして、ホースＨを底面部１２の上に折り重ね終えたならば、前側面部１３および後側面部１４をホースＨに沿わせて立ち上げ、ホース固定バンド部分５２ｆ，５２ｂ同士を係合させることにより、折り重ねホースＨを固定する。
さらに、左、右側面部１５，１６をホースＨに沿わせて立ち上げ、面ファスナ部分１７ｆｌ，１８ｌｆ同士および面ファスナ部分１７ｆｒ，１８ｒｆ同士を係合させることにより、ホース収納袋１１の左右側面を左、右側面部１５，１６で閉じた状態にした後、荷崩れ防止バンド部分４２ｂの他端側を荷崩れ防止バンド部分４２ｆに係合させることにより、ホースＨのホース収納袋Ｂへの収納が完了する。
【００１５】
次に、ホースＨをホース収納袋Ｂから引き出して伸ばす方法について説明する。
まず、図５に示すように、矢印６１の後側（矢印６１が指し示す方向と反対側）に位置する面ファスナ部分１８ｌｆを面ファスナ部分１７ｆｌから引き離し、左側面部１５を開放させる。
そして、図５に示すように、折り重ねたホースＨの上側に位置する接続部Ｊをホース収納袋Ｂの開放させた左側側面部分から引き出した後、手提げ部３１を持って矢印６１方向へ走る（運搬する）ことにより、ホースＨをホース収納袋Ｂから順次引き（繰り）出させる。
なお、ホースＨがホース収納袋Ｂから引き（繰り）出され終えると、接続部Ｊがホースバンド２１に引っ掛かり、運搬車は軽い衝撃を感じるので、ホースＨがホース収納袋Ｂから引き（繰り）出され終えたことを知ることができる。
このようにしてホースＨをホース収納袋Ｂから引き（繰り）出し終えたならば、ホースバンド２１を解いてホース収納袋Ｂを回収する。
【００１６】
次に、ホースＨに水漏れ個所があった場合の応急処置について説明する。
上記のようにしてホースＨを伸ばし、接続部Ｊを接続して消火活動を開始した状態で、図６（ａ）に示すように、ホースＨに水漏れ個所があった場合、底面部１２の内側に取り付けられたホースバンド２１を、図６（ｂ）に示すように、ホースＨの水漏れ個所に巻き付ける。
そして、図６（ｃ）に示すように、前側面部１３と後側面部１４とでホースＨを覆い、面ファスナ部分１７ｆｌ，１８ｌｆ同士の一部および面ファスナ部分１７ｆｒ，１８ｒｆ同士の一部を係合させることにより、ホースＨの水漏れ個所をホース収納袋Ｂで覆って応急処置が完了する。
【００１７】
上述したように、この発明の一実施例によれば、ホース収納袋本体Ｂを、上面が開放した箱状とし、前側面部１３の上部と後側面部１４の上部との間に荷崩れ防止バンド４１を設けたので、折り重ねたホースＨを崩れないように収納させることができる。
また、左、右側面部１５，１６の一方が開放できるので、開放させた側面部分からホースＨをスムーズに繰り出して伸ばすことができ、迅速な消火活動を行うことができる。
そして、左、右側面部１５，１６は閉じるように留めた状態から開放でき、底面部１２の内側にホースＨの漏れ個所を応急処置するホースバンド２１を取り付けたので、消火活動中にホースＨに水漏れ個所があった場合、その漏れ個所の応急処置をホースバンド２１で迅速に行うことができる。
また、ホース収納袋Ｂを平面状に展開できるので、ホースＨを収納する作業を迅速、かつ、容易に行うことができる。
【００１８】
そして、ホースバンド２１でホースＨの折り重ね初め部分を固定すると、ホースＨがホース収納袋Ｂから引き出され終えると、ホースＨの接続部Ｊがホースバンド２１に引っ掛かり、運搬車は軽い衝撃を感じるので、ホースＨがホース収納袋Ｂから引き出され終えたことを知ることができる。
また、ホースバンド２１でホースＨの水漏れ個所を応急処置した状態で、その応急処置したホースＨの部分を前側面部１３、後側面部１４、左側面部１５および右側面部１６で覆うことにより、ホースＨから吹き出る水の飛散を防止することができる。
【００１９】
さらに、前側面部１３と後側面部１４と外面に、ホースＨを繰り出しながら搬送する方向を示す矢印６１を設けたので、この矢印６１の方向とホースＨの折り畳み方向とを合わせることにより、例えば、手提げ部３１でホース収納袋Ｂを担いで走ってホースＨを伸ばす方向が一目で分かり、迅速な消火活動を行うことができる。
また、ホース固定バンド５１を設けたので、折り重ねたホースＨを、さらに崩れないように収納させることができる。
【００２０】
そして、ホースバンド２１を面ファスナで構成したので、ホースＨの漏れ個所の応急処置を迅速、かつ、容易に行うことができる。
また、荷崩れ防止バンド４１を面ファスナで構成したので、荷崩れ防止バンド４１の着脱を迅速、かつ、容易に行うことができる。
さらに、ホース固定バンド５１を面ファスナで構成したので、ホースＨの固定、非固定を迅速、かつ、容易に行うことができる。
【００２１】
図７はこの発明の他の実施例であるホース収納袋の内側を示す展開平面図、図８はこの発明の他の実施例であるホース収納袋の外側を示す展開平面図であり、図１〜図６と同一または相当部分に同一符号を付して説明を省略する。
【００２２】
図７または図８において、ホース収納袋本体１１は、平面視矩形の底面部１２と、この底面部１２の長辺に対向する状態で連設された矩形の前側面部１３および矩形の後側面部１４と、底面部１２の短辺に対向する状態で連設された矩形の左側面部１５および矩形の右側面部１６とで構成されている。
なお、左側面部１５および右側面部１６の幅ｗ（前後方向の長さ）は、底面部１２の短辺の長さよりも前後に所定長だけ長くされている。
そして、前側面部１３の外側の左右の端に上下方向へ面ファスナを構成する一方の面ファスナ部分１７ｆｌ，１７ｆｒが取り付けられ（逢着され）、また、後側面部１４の外側の左右の端に上下方向へ面ファスナを構成する一方の面ファスナ部分１７ｂｌ，１７ｂｒが取り付けられ（逢着され）ている。
さらに、左側面部１５の内側の前後の、面ファスナ部分１７ｆｌ，１７ｂｌと対向する端に左右方向へ面ファスナを構成する他方の面ファスナ部分１８ｌｆ，１８ｌｂが取り付けられ（逢着され）、また、右側面部１６の内側の前後の、面ファスナ部分１７ｆｒ，１７ｂｒと対向する端に左右方向へ面ファスナを構成する他方の面ファスナ部分１８ｒｆ，１８ｒｂが取り付けられ（逢着され）ている。
【００２３】
なお、この実施例における、ホースＨのホース収納袋Ｂへの収納、ホースＨをホース収納袋Ｂから引き出して伸ばす方法、ホースＨに水漏れ個所があった場合の応急処置は、先の実施例と同様になるので、その説明を省略する。
そして、この実施例においても、先の実施例と同様な効果を得ることができる。
【００２４】
上記した実施例では、左、右側面部１５，１６をそれぞれ開放できる例を示したが、例えば、左側面部１５のみ、または、右側面部１６のみを開放できる構成としてもよい。
また、手提げ部３１を前、後側面部１３，１４にそれぞれ設けた例を示したが、前側面部１３のみ、または、後側面部１４のみに設けてもよい。
そして、左、右側面部１５，１６の着脱機構、ホースバンド２１、荷崩れ防止バンド４１、ホース固定バンド５１を面ファスナで構成した例を示したが、同様に機能する他のものとしてもよい。
さらに、方向表示手段を矢印６１とした例を示したが、方向を表示できるものであれば、矢印６１以外でもあってもよい。
また、方向表示手段を前、後側面部１３，１４にそれぞれ設けた例を示したが、前側面部１３のみ、または、後側面部１４のみに方向表示手段を設けてもよい。
そして、１本のホースＨを収納する例を示したが、連結した２本のホースＨを収納するものであってもよい。
この場合、ホース固定バンド５１の取付位置を、連結した２本にホースＨを折り重ねた上側から固定できる高さに設けることは勿論のことである。
【図面の簡単な説明】
【００２５】
【図１】この発明の一実施例であるホース収納袋の内側を示す展開平面図である。
【図２】この発明の一実施例であるホース収納袋の外側を示す展開平面図である。
【図３】図１および図２に示したホース収納袋を組み立てた状態の斜視図である。
【図４】ホース収納袋にホースを収納させた状態の説明図である。
【図５】ホース収納袋からホースを引き出して伸ばすときの説明図である。
【図６】（ａ），（ｂ），（ｃ）はホースに漏れ個所があった場合の応急処置の説明図である。
【図７】この発明の他の実施例であるホース収納袋の内側を示す展開平面図である。
【図８】この発明の他の実施例であるホース収納袋の外側を示す展開平面図である。
【符号の説明】
【００２６】
Ｂ        ホース収納袋
１１      ホース収納袋本体
１２      底面部
１３      前側面部
１４      後側面部
１５      左側面部
１６      右側面部
１７ｆｌ  面ファスナ部分
１７ｆｒ  面ファスナ部分
１７ｂｌ  面ファスナ部分
１７ｂｒ  面ファスナ部分
１８ｌｆ  面ファスナ部分
１８ｌｂ  面ファスナ部分
１８ｒｆ  面ファスナ部分
１８ｒｂ  面ファスナ部分
２１      ホースバンド
３１      手提げ部
４１      荷崩れ防止バンド
４２ｆ    荷崩れ防止バンド部分
４２ｂ    荷崩れ防止バンド部分
５１      ホース固定バンド
５２ｆ    ホース固定バンド部分
５２ｂ    ホース固定バンド部分
６１      矢印（方向表示手段）
ｗ        幅
Ｈ        ホース
Ｊ        接続部
【図１】
2005270483.tif 000003
【図２】
2005270483.tif 000004
【図３】
2005270483.tif 000005
【図４】
2005270483.tif 000006
【図５】
2005270483.tif 000007
【図６】
2005270483.tif 000008
【図７】
2005270483.tif 000009
【図８】
2005270483.tif 000010